(57)【要約】      （修正有）【課題】蓄熱回路と冷媒回路を有し、蓄熱熱交換器で蓄熱媒体が冷却されて包接水和物が生成されると包接水和物を冷媒の温熱で加熱するために行う加熱運転時に、冷媒回路で液バックが発生するのを防止して圧縮機を液圧縮から保護する蓄熱式空気調和機を提供する。【解決手段】加熱運転時に蓄熱用熱交換器３７から圧縮機２１へ戻る低圧気液二相冷媒に、吐出ガスを減圧して高圧液冷媒と熱交換させる冷媒熱交換器２４で生成した高エンタルピの低圧ガス冷媒を混合し、過熱のついた低圧ガス冷媒を圧縮機に戻すように冷媒回路にガス冷媒合流通路１８を設ける。【選択図】図７
2016125719.tif 000002
【特許請求の範囲】
【請求項１】
冷却によって包接水和物が生成される蓄熱媒体を貯留する蓄熱タンク（62）と、蓄熱媒体の冷却と加熱が可能な蓄熱用熱交換器（37）と、上記蓄熱タンク（62）と上記蓄熱用熱交換器（37）との間で蓄熱媒体を循環させるポンプ（63）と、を有する蓄熱回路（61）と、
圧縮機（21）と、室外熱交換器（22）と、冷媒と蓄熱媒体とを熱交換させる上記蓄熱用熱交換器（37）と、膨張機構（26）と、室内熱交換器（27）と、を有する冷媒回路（11）と、
上記蓄熱回路（61）と冷媒回路（11）の運転動作を制御する運転制御部（100）と、を備えた蓄熱式空気調和機であって、
上記冷媒回路（11）は、上記室外熱交換器（22）を通過した冷媒が流れる高圧側通路（24a）と該高圧側通路（24a）の手前で分岐して低圧ガス調整弁（24c）により減圧された冷媒で高圧側通路（24a）の冷媒を冷却する低圧側通路（24b）とを有する冷媒熱交換器（24）を備え、
上記運転制御部（100）は、上記蓄熱用熱交換器（37）において蓄熱媒体が冷却されて包接水和物が生成されると、上記冷媒熱交換器（24）から流出した高圧冷媒を上記蓄熱用熱交換器（37）へ送って蓄熱媒体を加熱する加熱運転を行うように構成され、
上記冷媒回路（11）は、上記加熱運転を行うときに、上記蓄熱用熱交換器（37）から出た後に減圧されて上記圧縮機（21）へ吸入される液を含んだ冷媒に上記冷媒熱交換器（24）で吸熱した低圧の過熱ガス冷媒を混合してガス化するガス冷媒合流通路（18）を備えていることを特徴とする蓄熱式空気調和機。
【請求項２】
請求項１において、
上記室外熱交換器（22）が冷媒と空気とを熱交換させる空気熱交換器であり、該室外熱交換器（22）に送風する室外ファン（22a）が該室外熱交換器（22）の近傍に配置され、
上記運転制御部（100）は、加熱運転中には上記室外ファン（22a）を停止させることを特徴とする蓄熱式空気調和機。
【請求項３】
請求項１または２において、
上記冷媒回路（11）は、上記蓄熱用熱交換器（37）から流出した冷媒の圧力を調整する圧力調整弁（43）を有し、
上記運転制御部（100）は、加熱運転時に上記圧力調整弁（43）の開度を固定し、上記低圧ガス調整弁（24c）の開度を上記圧縮機（21）の吸入冷媒が過熱状態となるように調節することを特徴とする蓄熱式空気調和機。
【請求項４】
請求項１において、
上記運転制御部（100）は、上記室外熱交換器（22）で冷媒が凝縮し、冷熱が蓄えられた上記蓄熱媒体が上記蓄熱用熱交換器（37）を介して冷媒を冷却し、且つ上記室内熱交換器（27）で冷媒が蒸発する利用冷房運転を切り換えて実行させるように構成され、
上記低圧ガス調整弁（24c）は、減圧弁で構成され、
上記冷媒回路（11）は、上記利用冷房運転において、上記蓄熱用熱交換器（37）から上記室内熱交換器（27）へ送られる高圧冷媒と、上記ガス冷媒合流通路（18）に分流し上記減圧弁である低圧ガス調整弁（24c）で減圧された冷媒とを熱交換させる過冷却熱交換器として上記冷媒熱交換器（24）を有していることを特徴とする蓄熱式空気調和機。
【発明の詳細な説明】
【技術分野】
【０００１】
本発明は、蓄熱回路と冷媒回路を備え、蓄熱回路の蓄熱タンクに冷熱を蓄熱してその冷熱を利用することが可能な蓄熱式空気調和機に関するものである。
【背景技術】
【０００２】
空気調和機には、特許文献１に示すように、蓄熱回路と冷媒回路とで構成され、蓄熱媒体を冷熱源として利用して室内の空調を行う蓄熱式空気調和機が知られている。蓄熱回路は、主として、蓄熱媒体を貯留する蓄熱タンク、蓄熱媒体を冷媒等の熱媒体と熱交換する蓄熱用熱交換器、及び循環ポンプ等によって構成される。冷媒回路は、主として、蓄熱用熱交換器及び室内熱交換器等によって構成される。室内熱交換器は、蓄熱用熱交換器にて蓄熱媒体から取り出された冷熱を用いて室内空気を冷却する。
【０００３】
上記特許文献１では、冷却によって包接水和物が生成される蓄熱材（例えば臭化テトラｎブチルアンモニウム水溶液）が蓄熱媒体として利用されている。特許文献１では、蓄熱タンク内に冷熱を蓄えるために、蓄熱用熱交換器で冷却された蓄熱媒体を蓄熱タンクに貯留する蓄冷運転が行われる。
【先行技術文献】
【特許文献】
【０００４】
【特許文献１】特開２０１３−０８３４３９号公報
【発明の概要】
【発明が解決しようとする課題】
【０００５】
蓄冷運転では、蓄熱用熱交換器における蓄熱媒体の通路（蓄熱側通路）が包接水和物によって閉塞され、蓄熱用熱交換器の熱交換能力が低下する虞がある。そのため、蓄冷運転がある程度行われた際には、蓄熱側通路を熱媒体によって加熱する加熱運転を行うことが好ましい。蓄熱側通路が加熱されることで、蓄熱側通路を閉塞している包接水和物が蓄熱側通路から剥離され、蓄熱側通路の閉塞状態が解消されるからである。剥離された包接水和物は蓄熱タンクに流入される。
【０００６】
この加熱運転の際、蓄熱用熱交換器に冷媒回路の高圧冷媒を供給し、この高圧冷媒の温熱が蓄熱媒体の加熱に用いられる。ここで、蓄熱用熱交換器において蓄熱媒体を加熱した冷媒は放熱して凝縮する。しかし、この凝縮した冷媒が圧縮機に戻る液バックが起こってしまうと圧縮機において液圧縮が生じ、圧縮機を損傷するおそれがある。
【０００７】
本発明は、このような問題点に鑑みてなされたものであり、その目的は、蓄熱回路と冷媒回路を有する蓄熱式空気調和機において、蓄熱熱交換器で蓄熱媒体が冷却されて包接水和物が生成されると該包接水和物を冷媒の温熱で加熱するために行う加熱運転時に、冷媒回路で液バックが発生するのを防止して圧縮機を液圧縮から保護することである。
【課題を解決するための手段】
【０００８】
第１の発明は、冷却によって包接水和物が生成される蓄熱媒体を貯留する蓄熱タンク（62）と、蓄熱媒体の冷却と加熱が可能な蓄熱用熱交換器（37）と、上記蓄熱タンク（62）と上記蓄熱用熱交換器（37）との間で蓄熱媒体を循環させるポンプ（63）と、を有する蓄熱回路（61）と、圧縮機（21）と、室外熱交換器（22）と、冷媒と蓄熱媒体とを熱交換させる上記蓄熱用熱交換器（37）と、膨張機構（26）と、室内熱交換器（27）と、を有する冷媒回路（11）と、上記蓄熱回路（61）と冷媒回路（11）の運転動作を制御する運転制御部（100）と、を備えた蓄熱式空気調和機を前提としている。
【０００９】
そして、この蓄熱式空気調和機では、上記冷媒回路（11）が、上記室外熱交換器（22）を通過した冷媒が流れる高圧側通路（24a）と該高圧側通路（24a）の手前で分岐して低圧ガス調整弁（24c）により減圧された冷媒で高圧側通路（24a）の冷媒を冷却する低圧側通路（24b）とを有する冷媒熱交換器（24）を備え、上記運転制御部（100）が、上記蓄熱用熱交換器（37）において蓄熱媒体が冷却されて包接水和物が生成されると、上記冷媒熱交換器（24）から流出した高圧冷媒を上記蓄熱用熱交換器（37）へ送って蓄熱媒体を加熱する加熱運転を行うように構成され、上記冷媒回路（11）は、上記加熱運転を行うときに、上記蓄熱用熱交換器（37）から出た後に減圧されて上記圧縮機（21）へ吸入される液を含んだ冷媒に上記冷媒熱交換器（24）で吸熱した低圧の過熱ガス冷媒を混合してガス化するガス冷媒合流通路（18）を備えていることを特徴としている。
【００１０】
この第１の発明では、上記加熱運転時には、上記蓄熱用熱交換器（37）において蓄熱媒体が冷却されて生成された包接水和物が、上記冷媒熱交換器（24）から流出した高温高圧の冷媒と熱交換し、加熱される。このことにより、包接水和物が生成されてスラリー状になっていた蓄熱媒体が液状態に変化するので、蓄熱用熱交換器（37）における蓄熱媒体の通路が包接水和物によって閉塞された状態が解消される。一方、圧縮機（21）へ戻る冷媒は、蓄熱用熱交換器（37）で放熱した後に減圧された二相冷媒であり液を含んでいるが、この二相冷媒には、冷媒熱交換器（24）の低圧側通路（24b）で吸熱した高エンタルピの低圧過熱ガス冷媒が混合されるため、圧縮機（21）に吸入される冷媒をガス化することができる。
【００１１】
第２の発明は、第１の発明において、上記室外熱交換器（22）が冷媒と空気とを熱交換させる空気熱交換器であり、該室外熱交換器（22）に送風する室外ファン（22a）が該室外熱交換器（22）の近傍に配置され、上記運転制御部（100）が、加熱運転中には上記室外ファン（22a）を停止させることを特徴としている。
【００１２】
この第２の発明では、圧縮機（21）から吐出された冷媒は室外熱交換器（22）で熱交換しないので、高圧ガスのままで冷媒熱交換器（24）に供給される。
【００１３】
第３の発明は、第１または第２の発明において、上記冷媒回路（11）が、上記蓄熱用熱交換器（37）から流出した冷媒の圧力を調整する圧力調整弁（43）を有し、上記運転制御部（100）が、加熱運転時に上記圧力調整弁（43）の開度を固定し、上記低圧ガス調整弁（24c）の開度を上記圧縮機（21）の吸入冷媒が過熱状態となるように調節することを特徴としている。
【００１４】
この第３の発明では、加熱運転時に、圧力調整弁（43）の開度を固定した状態で蓄熱用熱交換器（37）から圧縮機（21）へ戻る低圧二相冷媒に、低圧ガス調整弁（24c）で減圧された後の低圧ガス冷媒が混合され、圧縮機（21）へ吸入される冷媒がガス化される。
【００１５】
第４の発明は、第１の発明において、上記運転制御部（100）は、上記室外熱交換器（22）で冷媒が凝縮し、冷熱が蓄えられた上記蓄熱媒体が上記蓄熱用熱交換器（37）を介して冷媒を冷却し、且つ上記室内熱交換器（27）で冷媒が蒸発する利用冷房運転に切り換えて実行するように構成され、上記低圧ガス調整弁（24c）は減圧弁で構成され、上記冷媒回路（11）は、上記利用冷房運転において、上記蓄熱用熱交換器（37）から上記室内熱交換器（27）へ送られる高圧冷媒と、上記ガス冷媒合流通路（18）に分流し上記減圧弁である低圧ガス調整弁（24c）で減圧された冷媒とを熱交換させる過冷却熱交換器として上記冷媒熱交換器（24）を有していることを特徴としている。
【００１６】
この第４の発明では、利用冷房運転時には上記冷媒熱交換器（24）が高圧液冷媒のフラッシュ発生を防止する過冷却熱交換器として用いられる。また、この第４の発明では、圧縮機（21）へ吸入される液を含んだ冷媒に過熱ガス冷媒を混合するガス冷媒合流通路（18）及び低圧ガス調整弁（24c）が、利用冷房運転においても利用される。これにより、冷媒回路（11）の部品点数を削減できる。
【発明の効果】
【００１７】
本発明によれば、
上記加熱運転時には、蓄熱用熱交換器（37）で蓄熱媒体を加熱した後に減圧された二相冷媒に、冷媒熱交換器（24）で吸熱した低圧の過熱ガス冷媒が混合されてガス化した冷媒が圧縮機（21）に吸入され、液バックは生じない。したがって、圧縮機（21）において液圧縮が生じないので、圧縮機（21）の損傷を防止できる。
【００１８】
上記第２の発明によれば、圧縮機（21）から吐出された冷媒が室外熱交換器（22）で熱交換せずに高圧ガスのままで冷媒熱交換器（24）に供給されるので、冷媒熱交換器（24）において高エンタルピの冷媒同士を熱交換することができる。したがって、蓄熱用熱交換器（37）で蓄熱用媒体を加熱してから圧縮機（21）に戻る二相冷媒に合流する低圧側通路（24b）のガス冷媒も高エンタルピの冷媒であり、圧縮機（21）の吸入冷媒を確実にガス化できる。
【００１９】
上記第３の発明によれば、加熱運転時に、圧力調整弁（43）の開度を固定した状態で蓄熱用熱交換器（37）から圧縮機（21）へ戻る低圧二相冷媒に、低圧ガス調整弁（24c）で減圧された後の低圧ガス冷媒を混合し、圧縮機（21）へ吸入される冷媒がガス化するようにしており、圧力調整弁（43）の開度を固定しているので、制御を容易に行うことができる。
【００２０】
上記第４の発明によれば、ガス冷媒合流通路（18）及び低圧ガス調整弁（24c）を加熱運転と利用冷房運転の双方で兼用でき、部品点数の削減、蓄熱式空気調和機の簡素化を図ることができる。
【図面の簡単な説明】
【００２１】
【図１】図１は、本発明の実施形態に係る蓄熱式空気調和機の回路構成図である。
【図２】図２は、図１の蓄熱式空気調和機の単純冷房運転の動作を示す回路構成図である。
【図３】図３は、図１の蓄熱式空気調和機の単純暖房運転の動作を示す回路構成図である。
【図４】図４は、図１の蓄熱式空気調和機の蓄冷運転の動作を示す回路構成図である。
【図５】図５は、図１の蓄熱式空気調和機の利用冷房運転の動作を示す回路構成図である。
【図６】図６は、図１の蓄熱式空気調和機の冷房蓄冷運転の動作を示す回路構成図である。
【図７】図７は、図１の蓄熱式空気調和機の融解運転の動作を示す回路構成図である。
【図８】図８は、図１の蓄熱式空気調和機の融解運転における冷媒の状態を示すモリエル線図である。
【発明を実施するための形態】
【００２２】
以下、本発明の実施形態を図面に基づいて詳細に説明する。
【００２３】
＜概要＞
本実施形態に係る蓄熱式空気調和機（10）は、後述する蓄熱タンク（62）に冷熱を蓄えたり、蓄えた冷熱を利用して室内を冷房したりすることができるシステムである。更に、蓄熱式空気調和機（10）は、蓄熱タンク（62）に冷熱を蓄えながらも室内の冷房を行うことができる。
【００２４】
図１に示すように、蓄熱式空気調和機（10）は、室外ユニット（20a）と、室内ユニット（20b）と、蓄熱ユニット（50）と、コントローラ（100）（運転制御部に相当）とで構成されており、冷媒回路（11）及び蓄熱回路（61）を有する。
【００２５】
コントローラ（100）は、蓄熱式空気調和機（10）の運転を制御するためのものである。コントローラ（100）は、冷媒回路（11）の圧縮機（21）や蓄熱回路（61）の循環ポンプ（63）の駆動制御、複数の開閉弁（25,40,41）の開閉制御等を行う。
【００２６】
＜冷媒回路の構成＞
冷媒回路（11）には冷媒が充填されており、冷媒が循環することによって冷凍サイクルが行われる。図１に示すように、冷媒回路（11）は、圧縮機（21）、室外熱交換器（22）、室外膨張弁（23）、室外側過冷却熱交換器（冷媒熱交換器）（24）、第１開閉弁（25）、蓄熱側過冷却熱交換器（29）、室内膨張弁（26）、室内熱交換器（27）及び四方切換弁（28）を有し、これらを冷媒配管で接続することにより構成されている。このうち、圧縮機（21）、室外熱交換器（22）、室外膨張弁（23）、室外側過冷却熱交換器（24）及び四方切換弁（28）は、室外ユニット（20a）に設けられ、室内膨張弁（26）及び室内熱交換器（27）は、室内ユニット（20b）に設けられている。第１開閉弁（25）及び蓄熱側過冷却熱交換器（29）は、蓄熱ユニット（50）に設けられている。
【００２７】
圧縮機（21）は冷媒を圧縮して吐出する。圧縮機（21）は、容量可変式であって、図示しないインバータ回路によって回転数（運転周波数）が変更される。
【００２８】
室外熱交換器（22）は、配管（12）を介して四方切換弁（28）と接続されている。室外熱交換器（22）は、例えばクロスフィンアンドチューブ式であって、室外ユニット（20a）に設けられた室外ファン（22a）によって室外空気が供給されると、当該室外空気と冷媒との熱交換を行う。
【００２９】
室外膨張弁（23）は、配管（13）を介して室外熱交換器（22）と接続され、配管（14a）を介して室外側過冷却熱交換器（24）と接続されている。室外膨張弁（23）は、例えば電子膨張弁で構成されており、開度を変更することで冷媒の圧力を調整する。
【００３０】
室外側過冷却熱交換器（24）は、配管（14a）を介して室外膨張弁（23）と接続された高圧側通路（24a）と、高圧側通路（24a）の入口側の配管（14a）及び圧縮機（21）の吸入側配管（19）に接続された低圧側通路（24b）とを有する。室外側過冷却熱交換器（24）は、高圧側通路（24a）及び低圧側通路（24b）のそれぞれを流れる冷媒同士が熱交換を行うことで高圧側通路（24a）を流れる冷媒が過冷却されるように構成されている。低圧側通路（24b）に流れる冷媒の流量は、膨張弁（低圧ガス調整弁）（24c）によって調節される。低圧側通路（24b）は、ガス冷媒合流通路（18）を介して圧縮機（21）の吸入側配管（19）に接続されている。
【００３１】
第１開閉弁（25）は、配管（14b）を介して室外側過冷却熱交換器（24）の高圧側通路（24a）に接続され、配管（14c）を介して蓄熱側過冷却熱交換器（29）と接続されている。第１開閉弁（25）は例えば電磁弁であり、配管（14b,14c）の間の冷媒の流れを許容または停止させるものである。第１開閉弁（25）に並列に、逆止弁（25a）が接続されている。逆止弁（25a）は、第１開閉弁（25）における蓄熱側過冷却熱交換器（29）側の冷媒圧力が所定値を超えた場合に、蓄熱側過冷却熱交換器（29）側から室外側過冷却熱交換器（24）側に向けて冷媒が流れるように設けられている。
【００３２】
蓄熱側過冷却熱交換器（29）は、高圧側通路（29a）と低圧側通路（29b）とを有する。高圧側通路（29a）の一端は配管（14c）に接続され、他端は配管（14d）を介して室内膨張弁（26）に接続されている。低圧側通路（29b）の一端は配管（17）を介して高圧側通路（29a）の入口側に接続され、他端は配管（16）（圧縮機（21）の吸入側）に接続されている。蓄熱側過冷却熱交換器（29）は、高圧側通路（29a）及び低圧側通路（29b）のそれぞれを流れる冷媒同士が熱交換を行うことで高圧側通路（29a）を流れる冷媒が過冷却されるように構成されている。低圧側通路（29b）に流れる冷媒の流量は、配管（17）に設けられている膨張弁（29c）によって調節される。
【００３３】
室内膨張弁（26）は、配管（15）を介して室内熱交換器（27）と接続されている。室内膨張弁（26）は、例えば電子膨張弁であり、開度を変更することで冷媒の循環量を調整する。
【００３４】
室内熱交換器（27）は、配管（16）を介して四方切換弁（28）と接続されている。室内熱交換器（27）は、例えばクロスフィンアンドチューブ式であって、室内ユニット（20b）に設けられた室内ファン（27a）によって室内空気が供給されると、当該空気と冷媒との熱交換を行う。室内熱交換器（27）によって熱交換された後の空気は、再び室内に供給される。
【００３５】
四方切換弁（28）は、４つのポートを有する。具体的に、四方切換弁（28）の第１ポートは、圧縮機（21）の吐出側に接続され、四方切換弁（28）の第２ポートは、図示しないアキュムレータを介して圧縮機（21）の吸入側に接続されている。四方切換弁（28）の第３ポートは、配管（12）を介して室外熱交換器（22）に接続され、四方切換弁（28）の第４ポートは、配管（16）を介して室内熱交換器（27）に接続されている。四方切換弁（28）は、蓄熱式空気調和機（10）の運転種類に応じて、各ポートの接続状態を第１状態（図１の実線で示す状態）または第２状態（図１の破線で示す状態）に切り換える。
【００３６】
＜バイパス流路の構成＞
図１に示すように、冷媒回路（11）は、バイパス流路（31）を含む。バイパス流路（31）は、室内熱交換器（27）に並列に接続されており、内部を冷媒が通過する。具体的に、バイパス流路（31）の一端は、室外側過冷却熱交換器（24）と第１開閉弁（25）との間の配管（14b）に接続されている。バイパス流路（31）の他端は、室内熱交換器（27）と四方切換弁（28）の第４ポートとの間の配管（16）に接続されている。バイパス流路（31）は、主として、予熱用熱交換器（36）及び蓄熱用熱交換器（37）、蓄熱用膨張弁（38）、及び第２〜第３開閉弁（39,40）を有する。
【００３７】
予熱用熱交換器（36）は、冷媒側通路（36a）と蓄熱側通路（36b）とを有する。冷媒側通路（36a）は、配管（32）上、つまりはバイパス流路（31）の一端と蓄熱用膨張弁（38）との間に位置し、内部には冷媒が流れる。蓄熱側通路（36b）は、蓄熱回路（61）に直列に接続され、内部には蓄熱媒体（後述）が流れる。予熱用熱交換器（36）は、冷媒と蓄熱媒体との熱交換を行う。つまり、予熱用熱交換器（36）は、蓄熱用熱交換器（37）にて熱交換する前の冷媒を、蓄熱媒体と熱交換させる。
【００３８】
蓄熱用熱交換器（37）は、冷媒側通路（37a）と蓄熱側通路（37b）とを有する。冷媒側通路（37a）は、配管（33）上において蓄熱用膨張弁（38）と第３開閉弁（40）との間に位置し、内部には冷媒が流れる。蓄熱側通路（37b）は、蓄熱回路（61）に直列に接続され、内部には蓄熱媒体が流れる。蓄熱用熱交換器（37）は、冷媒と蓄熱媒体との熱交換を行うことで、蓄熱媒体を冷却等することができる。つまり、蓄熱用熱交換器（37）は、予熱用熱交換器（36）にて熱交換した後の冷媒を、蓄熱媒体と熱交換させる。
【００３９】
蓄熱用膨張弁（38）は、予熱用熱交換器（36）の冷媒側通路（36a）と蓄熱用熱交換器（37）の冷媒側通路（37a）との間に接続されている。蓄熱用膨張弁（38）は、例えば電子膨張弁で構成されており、開度を変更することで冷媒の圧力及び循環量を調整する。
【００４０】
第２開閉弁（39）は、逆止弁（39a）と直列に接続されている。互いに直列接続された第２開閉弁（39）及び逆止弁（39a）は、蓄熱用膨張弁（38）に対し並列に接続されている。逆止弁（39a）は、予熱用熱交換器（36）側から蓄熱用熱交換器（37）側への冷媒の流れのみを許容する。第３開閉弁（40）は、配管（34）上に設けられている。なお、配管（34）の一端は、配管（33）に接続され、配管（34）の他端は、配管（16）に接続されている。
【００４１】
なお、蓄熱用膨張弁（38）に並列に、圧力逃がし弁（44）が設けられている。圧力逃がし弁（44）は、例えば蓄熱式空気調和機（10）の運転停止時、蓄熱用熱交換器（37）側の圧力が許容値を超えた場合に、当該圧力を放出させるための弁である。
【００４２】
＜第１分岐流路＞
図１に示すように、冷媒回路（11）は、第１分岐流路（35）を更に含む。第１分岐流路（35）の一端は、バイパス流路（31）における配管（33,34）の接続ポイントに接続され、第１分岐流路（35）の他端は、配管（14c）に接続されている。第１分岐流路（35）は、主として、第４開閉弁（41）及び逆止弁（41a）を有する。第４開閉弁（41）及び逆止弁（41a）は、互いに直列に接続されている。逆止弁（41a）は、配管（33）側から配管（14c）側への冷媒の流れのみを許容する。
【００４３】
＜第２分岐流路＞
図１に示すように、冷媒回路（11）は、第２分岐流路（42）を更に含む。第２分岐流路（42）の一端は、バイパス流路（31）における配管（33,34）の接続ポイント、つまりはバイパス流路（31）と第１分岐流路（35）との接続ポイントに接続されている。第２分岐流路（42）の他端は、配管（16）に接続されている。第２分岐流路（42）は、主として、蒸発圧力調整弁（圧力調整弁）（43）を有する。蒸発圧力調整弁（43）は、蓄熱用熱交換器（37）における冷媒の蒸発圧力を調整するための弁であって、例えば膨張弁で構成されている。第２分岐流路（42）はガス冷媒が流れる配管であるため、この蒸発圧力調整弁（43）には開度調整範囲の広い弁が用いられる。
【００４４】
＜蓄熱回路の構成＞
蓄熱回路（61）には蓄熱媒体が充填されており、蓄熱媒体を循環させて冷熱を蓄熱する蓄冷サイクル等が行われる。蓄熱回路（61）は、主として、蓄熱タンク（62）及び循環ポンプ（63）の他に、上述した予熱用熱交換器（36）及び蓄熱用熱交換器（37）の各蓄熱側通路（36b,37b）によって構成されている。
【００４５】
ここで、蓄熱媒体について説明する。蓄熱媒体には、冷却によって包接水和物が生成される蓄熱材、即ち流動性を有する蓄熱材が採用される。この蓄熱媒体は，例えば、冷却によって０℃より高く２０℃より低い温度にて固体成分が生成されるものであることができる。固体成分とは、その融点において液体から相転移（潜熱変化）し、発熱した状態にある成分を言う。蓄熱媒体の具体例としては、臭化テトラｎブチルアンモニウムを含有する臭化テトラｎブチルアンモニウム（TBAB：Tetra Butyl Ammonium Bromide）水溶液、トリメチロールエタン（TME：Trimethylolethane）水溶液、パラフィン系スラリーなどが挙げられる。例えば、臭化テトラｎブチルアンモニウム水溶液は、安定的に冷却されて当該水溶液の温度が水和物生成温度よりも低くなった過冷却状態でもその水溶液の状態を維持するが、この過冷却状態にて何らかのきっかけが与えられると、過冷却の溶液が包接水和物を含んだ溶液（即ちスラリー）へと遷移する。即ち、臭化テトラｎブチルアンモニウム水溶液は、過冷却状態を解消して、臭化テトラｎブチルアンモニウムと水分子とからなる包接水和物（水和物結晶）が生成されて粘性の比較的高いスラリー状となる。ここで、過冷却状態とは、蓄熱媒体が水和物生成温度以下の温度となっても包接水和物が生成されずに溶液の状態を保っている状態を言う。逆に、スラリー状となっている臭化テトラｎブチルアンモニウム水溶液は、加熱により当該水溶液の温度が水和物生成温度よりも高くなると、包接水和物が融解して流動性の比較的高い液状態となる（溶液）。
【００４６】
本実施形態では、上記蓄熱媒体として、臭化テトラｎブチルアンモニウムを含有する臭化テトラｎブチルアンモニウム水溶液を採用している。特に、上記蓄熱媒体は、調和濃度の近傍の濃度を有する媒体であることが好ましい。本実施形態では、調和濃度を約４０％とする。この場合の臭化テトラｎブチルアンモニウム水溶液の水和物生成温度は、約１２℃である。
【００４７】
なお、蓄熱媒体の濃度に応じて、臭化テトラｎブチルアンモニウム水溶液の水和物生成温度は変化する。例えば、蓄熱媒体の濃度が約２０％である場合、水和物生成温度は約８．５℃となる。調和濃度とは、包接水和物が生成される前後において、水溶液の濃度が変化しない濃度を意味する。
【００４８】
蓄熱タンク（62）は、中空の密閉容器であって、蓄熱媒体を貯留する。例えば、蓄熱タンク（62）は、両端が閉塞された円筒状に形成され、その軸方向が上下方向となるように配置されている。蓄熱タンク（62）には、流出口と流入口とが形成されており、流出口は、例えば流入口よりも上方に位置している。
【００４９】
循環ポンプ（63）は、蓄熱回路（61）において、蓄熱タンク（62）、予熱用熱交換器（36）及び蓄熱用熱交換器（37）の間で蓄熱媒体を循環させる。蓄熱媒体の循環方向は、蓄熱タンク（62）から流出した蓄熱媒体が予熱用熱交換器（36）の蓄熱側通路（36b）を通過し、更にその後に循環ポンプ（63）を介して蓄熱用熱交換器（37）の蓄熱側通路（37b）を通過して、蓄熱タンク（62）に流入する方向となっている。循環ポンプ（63）の運転のオン及びオフや蓄熱媒体の流量は、コントローラ（100）によって制御される。
【００５０】
以上の構成により、蓄熱回路（61）は、閉回路となっている。
【００５１】
＜蓄熱式空気調和機の運転動作＞
蓄熱式空気調和機（10）の運転種類としては、単純冷房運転、単純暖房運転、蓄冷運転、利用冷房運転、及び冷房蓄冷運転が挙げられる。コントローラ（100）は、これらの各運転が行われるように、冷媒回路（11）及び蓄熱回路（61）における各種機器を制御する。また、コントローラ（100）は、蓄冷運転時に蓄熱用熱交換器（37）で包接水和物が生成して蓄熱媒体がスラリー化すると、スラリー状の蓄熱媒体を加熱して液状に変化させる加熱運転（融解運転）の動作を制御する。
【００５２】
単純冷房運転とは、冷媒回路（11）の冷房サイクルによって得られる冷熱のみを用いて室内の冷房を行う運転である。単純暖房運転とは、冷媒回路（11）の暖房サイクルによって得られる温熱のみを用いて室内の暖房を行う運転である。蓄冷運転とは、蓄熱回路（61）の蓄冷サイクルによって得られる冷熱を蓄熱タンク（62）に蓄える運転である。利用冷房運転とは、蓄熱タンク（62）内の蓄熱媒体を冷熱源として用いて室内の冷房を行う運転である。冷房蓄冷運転は、蓄熱回路（61）においては蓄冷サイクルで得られる冷熱を蓄熱タンク（62）に貯留しながら、冷媒回路（11）においては冷房サイクルで得られる冷熱のみを用いて室内の冷房を行う運転である。即ち、冷房蓄冷運転では、蓄冷と冷房とが同時に行われる。
【００５３】
−単純冷房運転−
図２に示されるように、単純冷房運転では、冷媒回路（11）は、室外熱交換器（22）が凝縮器となり室内熱交換器（27）が蒸発器となる冷房サイクルを行う。バイパス流路（31）及び第１分岐流路（35）には冷媒は流入せず、蓄熱回路（61）は蓄熱媒体を循環させない。具体的に、バイパス流路（31）では、蓄熱用膨張弁（38）の開度は全閉状態に設定され、バイパス流路（31）及び第１分岐流路（35）の開閉弁（39〜41）は閉状態に設定される。但し、バイパス流路（31）の開閉弁（40）は、蓄熱熱交換器（37）の冷媒側通路（37a）に冷媒が溜まることを防ぐため、開状態に設定される。蓄熱回路（61）では、循環ポンプ（63）は停止する。
【００５４】
冷媒回路（11）では、四方切換弁（28）が第１状態に設定され、第１開閉弁（25）は開状態に設定される。室外膨張弁（23）の開度は全開状態に設定され、蓄熱側過冷却熱交換器（29）の膨張弁（29c）は全閉状態、室内膨張弁（26）の開度は所定の開度（室内熱交換器（27）の出口における冷媒の過熱度が目標過熱度となる開度）に設定される。圧縮機（21）、室外ファン（22a）及び室内ファン（27a）は作動する。
【００５５】
圧縮機（21）から吐出された冷媒は、配管（12）を介して室外熱交換器（22）に流入し、室外熱交換器（22）を通過する間に室外空気に放熱して凝縮する。室外熱交換器（22）にて凝縮された冷媒は、配管（13）及び室外膨張弁（23）を介して室外側過冷却熱交換器（24）に流入し、更に冷却される。更に冷却された冷媒は、配管（14b,14c,14d）、第１開閉弁（25）及び蓄熱側過冷却熱交換器（29）の高圧側配管（29a）を介して室内膨張弁（26）に流入し、室内膨張弁（26）にて減圧される。室内膨張弁（26）にて減圧された冷媒は、配管（15）を介して室内熱交換器（27）に流入し、室内熱交換器（27）を通過する間に室内空気から吸熱して蒸発する。これにより、室内空気が冷却される。室内熱交換器（27）にて蒸発した冷媒は、配管（16）を介して圧縮機（21）に吸入されて再び圧縮される。
【００５６】
−単純暖房運転−
図３に示されるように、単純暖房運転では、冷媒回路（11）は、室内熱交換器（27）が凝縮器となり室外熱交換器（22）が蒸発器となる暖房サイクルを行う。単純冷房運転と同様、バイパス流路（31）及び第１分岐流路（35）には冷媒は流れず、蓄熱回路（61）は蓄熱媒体を循環させない。
【００５７】
冷媒回路（11）では、四方切換弁（28）が第２状態に設定される。室内膨張弁（26）の開度は、所定の開度（室内熱交換器（27）の出口における冷媒の過冷却度が目標過冷却度となる開度）に設定される。各過冷却熱交換器（29,24）の膨張弁（29c,24c）は全閉状態、第１開閉弁（25）は閉状態、室外膨張弁（23）の開度は所定の開度（室外熱交換器（22）の出口における冷媒の過熱度が目標過熱度となる開度）に設定される。圧縮機（21）、室外ファン（22a）及び室内ファン（27a）は作動する。
【００５８】
圧縮機（21）から吐出された冷媒は、配管（16）を介して室内熱交換器（27）に流入し、室内熱交換器（27）を通過する間に室内空気に放熱して凝縮する。この時、室内空気は温められる。室内熱交換器（27）にて凝縮された冷媒は、各種配管（15,14d~14a）、室内膨張弁（26）、各過冷却熱交換器（29,24）の高圧側通路（29a,24a）、及び逆止弁（25a）を介して室外膨張弁（23）に流入し、室外膨張弁（23）にて減圧される。減圧後の冷媒は、配管（13）を介して室外熱交換器（22）に流入し、室外熱交換器（22）を通過する間に室外空気から吸熱して蒸発する。蒸発後の冷媒は、配管（12）を介して圧縮機（21）に吸入されて再び圧縮される。
【００５９】
−蓄冷運転−
図４に示すように、蓄冷運転では、室外熱交換器（22）及び予熱用熱交換器（36）の冷媒側通路（36a）にて凝縮及び冷却された冷媒が、蓄熱用熱交換器（37）の冷媒側通路（37a）にて蒸発することで、蓄熱側通路（37b）内の蓄熱媒体が冷却されて蓄熱タンク（62）に貯留される。冷媒回路（11）では、冷媒がバイパス流路（31）に流れるが、第１分岐流路（35）には流れない。蓄熱回路（61）は、蓄熱用熱交換器（37）にて冷却された蓄熱媒体が蓄熱タンク（62）に貯留するように蓄熱媒体を循環する蓄冷サイクルを行う。
【００６０】
具体的に、四方切換弁（28）は第１状態、第３開閉弁（40）は開状態に設定され、第２開閉弁（39）及び第４開閉弁（41））は閉状態に設定される。なお、第１開閉弁（25）は、開状態に設定される。第１開閉弁（25）が開状態となることにより、バイパス流路（31）への分岐点から室内膨張弁（26）までの配管（液管）に液冷媒が溜まり込み、この配管内の冷媒が単純冷房運転時と同じ状態になり、余剰冷媒の発生が防止されるためである。また、室外膨張弁（23）の開度は全開状態、各過冷却熱交換器（24,29）の膨張弁（24c,29c）は全閉状態、室内膨張弁（26）の開度は全閉状態、蓄熱用膨張弁（38）の開度は所定の開度（蓄熱用熱交換器（37）の冷媒側通路（37a）の出口における冷媒の蒸発温度が目標蒸発温度となる開度）にそれぞれ設定される。圧縮機（21）は概ね一定の回転数で作動する。室外ファン（22a）は作動し、室内ファン（27a）は停止する。
【００６１】
圧縮機（21）から吐出された冷媒は、配管（12）を介して室外熱交換器（22）に流入し、室外熱交換器（22）にて室外空気に放熱して凝縮する。凝縮された冷媒は、配管（13,14a）、室外膨張弁（23）及び室外側過冷却熱交換器（24）の高圧側流路（24a）を介して配管（14b）に流れる。第１開閉弁（25）が開状態であるため、当該冷媒は、配管（14b）におけるバイパス流路（31）への分岐点から室内膨張弁（26）に至るまでの配管に溜まり込むとともに、バイパス流路（31）側へも流入し、予熱用熱交換器（36）の冷媒側通路（36a）にて更に冷却される。予熱用熱交換器（36）から流出された冷媒は、蓄熱用膨張弁（38）にて減圧され、その後蓄熱用熱交換器（37）の冷媒側通路（37a）にて蓄熱媒体から吸熱して蒸発する。蒸発した冷媒は、第３開閉弁（40）及び配管（34）を介してバイパス流路（31）から流出し、配管（16）に流入する。その後、冷媒は、四方切換弁（28）を介して圧縮機（21）に吸入され、再び圧縮される。
【００６２】
蓄熱回路（61）では、循環ポンプ（63）が作動する。蓄熱タンク（62）内の蓄熱媒体は、該タンク（62）から流出して予熱用熱交換器（36）の蓄熱側通路（36b）に流入する。蓄熱側通路（36b）を通過する間に、蓄熱媒体は、冷媒側通路（36a）を流れる冷媒によって加熱される。加熱された蓄熱媒体は、循環ポンプ（63）を介して蓄熱用熱交換器（37）の蓄熱側通路（37b）に流入する。蓄熱側通路（37b）を通過する間に、蓄熱媒体は、冷媒側通路（37a）を流れる冷媒によって冷却される。冷却された蓄熱媒体は、蓄熱タンク（62）内に流入する。このようにして、蓄熱タンク（62）には冷熱が蓄えられる。
【００６３】
−利用冷房運転−
図５に示すように、利用冷房運転では、蓄熱タンク（62）に蓄えられた冷熱と冷媒回路（11）の冷凍サイクルによって得られる冷熱とを用いて室内の冷房が行われる。つまり、室外熱交換器（22）にて凝縮及び冷却された冷媒が、更に予熱用熱交換器（36）及び蓄熱用熱交換器（37）にて蓄熱媒体から冷熱を得た後に室内熱交換器（27）にて蒸発することで、室内空気が冷却される。蓄熱回路（61）は、蓄熱タンク（62）から流出した蓄熱媒体が予熱用熱交換器（36）及び蓄熱用熱交換器（37）を順に通過して蓄熱タンク（62）に再度流入するように蓄熱媒体を循環させる。
【００６４】
この場合、冷媒回路（11）側においては、室外熱交換器（22）が凝縮器、室内熱交換器（27）が蒸発器となる。特に、バイパス流路（31）においては、予熱用熱交換器（36）及び蓄熱用熱交換器（37）が共に過冷却器（即ち放熱器）となり、冷媒は、バイパス流路（31）の途中で第１分岐流路（35）へと流れる。
【００６５】
具体的には、四方切換弁（28）は第１状態、第１開閉弁（25）及び第３開閉弁（40）は閉状態、第２開閉弁（39）及び第４開閉弁（41）は開状態にそれぞれ設定される。室外膨張弁（23）及び蓄熱用膨張弁（38）の開度は全開状態、室外側過冷却熱交換器（24）の膨張弁（24c）は全閉状態、室内膨張弁（26）の開度は所定の開度（室内熱交換器（27）の出口における冷媒の過熱度が目標過熱度となる開度）にそれぞれ設定される。圧縮機（21）、室外ファン（22a）及び室内ファン（27a）は作動する。
【００６６】
圧縮機（21）から吐出された冷媒は、配管（12）を介して室外熱交換器（22）に流入し、室外熱交換器（22）にて室外空気に放熱して凝縮する。凝縮された冷媒は、全開である室外膨張弁（23）及び室外側過冷却熱交換器（24）の高圧側通路（24a）を介して配管（14b）に流れる。第１開閉弁（25）が閉状態であるため、当該冷媒は、配管（14b）の途中でバイパス流路（31）内へと流入する。バイパス流路（31）に流入した冷媒は、予熱用熱交換器（36）の冷媒側通路（36a）を通過する間に蓄熱側通路（36b）を流れる蓄熱媒体によって更に冷却され、その後は全開である蓄熱用膨張弁（38）または第２開閉弁（39）を介して蓄熱用熱交換器（37）に流入する。蓄熱用熱交換器（37）に流入した冷媒は、冷媒側通路（37a）を通過する間に、蓄熱側通路（37b）を流れる蓄熱媒体によって更に冷却される。この冷媒は、第１分岐流路（35）を介して配管（14c）に流入する。その後、冷媒は、蓄熱側過冷却熱交換器（29）に流入し、更に冷却される。更に冷却された冷媒は、配管（14d）を介して室内膨張弁（26）に流入する。室内膨張弁（26）にて減圧された後、室内熱交換器（27）にて室内空気から吸熱して蒸発する。これにより、室内空気が冷却される。蒸発した冷媒は、配管（16）及び四方切換弁（28）を介して圧縮機（21）に吸入されて再び圧縮される。
【００６７】
蓄熱回路（61）では、循環ポンプ（63）が作動する。蓄熱タンク（62）内の蓄熱媒体は、該タンク（62）から流出して予熱用熱交換器（36）の蓄熱側通路（36b）に流入する。蓄熱側通路（36b）を通過する間に、蓄熱媒体は、冷媒側通路（36a）を流れる冷媒から吸熱する。吸熱した蓄熱媒体は、循環ポンプ（63）を介して蓄熱用熱交換器（37）の蓄熱側通路（37b）に流入する。蓄熱側通路（37b）を通過する間に、蓄熱媒体は、冷媒側通路（37a）を流れる冷媒から更に吸熱する。更に吸熱した蓄熱媒体は、蓄熱タンク（62）内に流入される。このようにして、蓄熱媒体から冷媒へ冷熱が付与される。
【００６８】
−冷房蓄冷運転−
図６に示すように、冷房蓄冷運転では、冷媒回路（11）においては室外熱交換器（22）で凝縮された冷媒が室内熱交換器（27）で蒸発するように冷媒が循環する冷房サイクルが行われる。特に、冷媒回路（11）では、冷媒の一部がバイパス流路（31）へも流れる。そして、冷房蓄冷運転では、蓄熱回路（61）においては蓄熱媒体が蓄熱用熱交換器（37）にて冷媒により冷却され蓄熱タンク（62）に貯留される蓄冷サイクルが行われる。つまり、冷房サイクルと蓄冷サイクルとが同時に行われる。
【００６９】
この場合、冷媒回路（11）側においては、室外熱交換器（22）が凝縮器、室内熱交換器（27）が蒸発器となる。特に、バイパス流路（31）においては、予熱用熱交換器（36）は過冷却器（即ち放熱器）、蓄熱用熱交換器（37）は蒸発器となる。なお、冷媒は、第１分岐流路（35）には流れない。
【００７０】
具体的には、四方切換弁（28）は第１状態、第１開閉弁（25）及び第３開閉弁（40）は開状態、第２開閉弁（39）及び第４開閉弁（41）は閉状態にそれぞれ設定される。室外膨張弁（23）の開度は全開状態、室外側過冷却熱交換器（24）の膨張弁（29c）は全閉状態、蓄熱用膨張弁（38）及び室内膨張弁（26）の開度は、コントローラ（100）によって冷媒流量調節のための開度制御が行われる。圧縮機（21）、室外ファン（22a）及び室内ファン（27a）は作動する。
【００７１】
圧縮機（21）から吐出された冷媒は、配管（12）を介して室外熱交換器（22）に流入し、室外熱交換器（22）にて室外空気に放熱して凝縮する。凝縮された冷媒は、全開である室外膨張弁（23）及び室外側過冷却熱交換器（24）の高圧側通路（24a）を通過する。第１開閉弁（25）は開状態であって、且つ蓄熱用膨張弁（38）は全閉状態ではないため、室外側過冷却熱交換器（24）から流出した冷媒は、配管（14b）の途中にて、第１開閉弁（25）側とバイパス流路（31）側とに分岐して流れる。
【００７２】
第１開閉弁（25）側に流れた冷媒は、配管（14c）を介して蓄熱側過冷却熱交換器（29）の高圧側通路（29a）に流入し、更に冷却される。更に冷却された冷媒は、配管（14d）を介して室内膨張弁（26）に流入し、室内膨張弁（26）にて減圧される。室内膨張弁（26）にて減圧された冷媒は、室内熱交換器（27）にて室内空気から吸熱して蒸発する。これにより、室内空気が冷却される。
【００７３】
一方、バイパス流路（31）側に流れた冷媒は、配管（32）を介して予熱用熱交換器（36）の冷媒側通路（36a）に流入し、当該冷媒側通路（36a）を通過する間に蓄熱側通路（36b）を流れる蓄熱媒体を加熱する。これにより、蓄熱タンク（62）から流出する蓄熱媒体に含まれる包接水和物は融解する。従って、予熱用熱交換器（36）を通過後の蓄熱媒体が通過する配管（蓄熱用熱交換器（37）の蓄熱側通路（37b）を含む）にて、蓄熱媒体の包接水和物が大量に生成されて蓄熱回路（61）が閉塞することを防ぐことができる。
【００７４】
特に、冷房蓄冷運転では、室外側過冷却熱交換器（24）での冷媒の冷却が行われていない。仮に室外側過冷却熱交換器（24）で冷媒が冷却されると、予熱用熱交換器（36）にて冷媒が蓄熱媒体を加熱する効果が薄れてしまい、包接水和物による蓄熱回路（61）の閉塞が生じ易くなるためである。
【００７５】
そして、予熱用熱交換器（36）にて蓄熱媒体を加熱した冷媒は、冷やされた状態で予熱用熱交換器（36）から流出し、蓄熱用膨張弁（38）にて減圧される。その後、冷媒は、蓄熱用熱交換器（37）において、冷媒側通路（37a）を通過する間に、蓄熱側通路（37b）を流れる蓄熱媒体から吸熱して蒸発する。蒸発した冷媒は、第３開閉弁（40）及び配管（34）を流れ、室内熱交換器（27）を通過した冷媒と配管（16）にて合流する。合流した冷媒は、四方切換弁（28）を介して圧縮機（21）に吸入されて再び圧縮される。
【００７６】
蓄熱回路（61）では、循環ポンプ（63）が作動する。蓄熱タンク（62）内の蓄熱媒体は、該タンク（62）から流出して予熱用熱交換器（36）の蓄熱側通路（36b）に流入する。この蓄熱側通路（36b）を通過する間に、蓄熱媒体は、冷媒側通路（36a）を流れる冷媒から吸熱することで加熱される。これにより、蓄熱媒体に含まれる包接水和物は融かされる。吸熱した蓄熱媒体は、循環ポンプ（63）を介して蓄熱用熱交換器（37）の蓄熱側通路（37b）に流入する。蓄熱側通路（37b）を通過する間に、蓄熱媒体は、冷媒側通路（37a）を流れる冷媒によって冷却される。冷却された蓄熱媒体は、蓄熱タンク（62）内に流入する。このようにして、蓄熱タンク（62）には冷熱が蓄えられる。
【００７７】
なお、以上の説明では、冷房蓄冷運転において、蒸発圧力調整弁（43）の開度が全閉状態に設定され、第３開閉弁（40）が開状態に設定される場合を例に挙げたが、冷房蓄冷運転において、第３開閉弁（40）を閉状態に設定し、蒸発圧力調整弁（43）の開度を所定の開度に調節してよい。この場合、蓄熱用熱交換器（38）から流出した冷媒は、蒸発圧力調整弁（43）において減圧され、配管（16）と四方切換弁（28）とを順に通過して圧縮機（21）に吸入されることになる。このように制御することにより、蓄熱用熱交換器（38）における冷媒の蒸発圧力を圧縮機（21）の吸入圧力よりも高くすることができ、蓄熱用熱交換器（38）における冷媒の蒸発温度が低くなり過ぎることを防止することができる。これにより、蓄熱用熱交換器（38）において蓄熱媒体が冷却され過ぎて、包接水和物が大量に生成されて蓄熱媒体の循環効率が低下することを防止することができる。
【００７８】
−加熱運転（融解運転）−
蓄冷運転時などに蓄熱用熱交換器（37）で包接水和物が生成して蓄熱媒体がスラリー化すると、スラリー状の蓄熱媒体を加熱して液状態に戻す加熱運転（融解運転）の動作が行われる。この加熱運転の動作を、図７の回路図と図８のモリエル線図を用いて説明する。
【００７９】
この加熱運転時には、室外熱交換器（22）は熱交換器として機能せず、室外側過冷却熱交換器（以下、加熱運転では冷媒熱交換器という）（24）と予熱用熱交換器（36）と蓄熱用熱交換器（37）が、冷媒が高圧二相状態にまで凝縮する凝縮器（放熱器）となり、この高圧二相冷媒を減圧して得られる低圧二相冷媒と冷媒熱交換器（24）の低圧側のガス冷媒とを混合して圧縮機（21）に戻す動作が行われる。
【００８０】
具体的には、この加熱運転時には、四方切換弁（28）は第１状態、室外膨張弁（23）は全開状態に設定される。また、第２開閉弁（39）は開状態、第１開閉弁（25）と第３開閉弁（40）と第４開閉弁（41）は閉状態に設定され、冷媒熱交換器（24）の膨張弁（以下、加熱運転では低圧ガス調整弁という）（24c）は圧縮機（21）の吸入冷媒の過熱度を調整するように開度が制御され、蒸発圧力調整弁（以下、加熱運転では圧力調整弁という）（43）は所定開度に固定される。さらに、圧縮機（21）は作動し、室外ファン（22a）は停止し、室内ファン（27a）は停止する。
【００８１】
圧縮機（21）から吐出された冷媒は室外熱交換器（22）を通過する（点Ａ）。点Ａの冷媒は冷媒熱交換器（24）の高圧側通路（24a）を通過した後の点Ｄの高圧二相冷媒と、低圧側通路（24b）を通過する前に減圧された点Ｂの低圧ガス冷媒とに分流する。点Ｂのガス冷媒は高圧側通路（24a）の高圧冷媒と熱交換し、点Ｃまで過熱された低圧ガス冷媒となる。
【００８２】
点Ｄの高圧二相冷媒は、予熱用熱交換器（36）で放熱して点Ｅの状態へ変化し、さらに蓄熱用熱交換器（37）で放熱して状態が点Ｆの状態へ変化する。このとき、蓄熱用熱交換器（37）の蓄熱側通路（37b）では、スラリー化した蓄熱媒体が加熱されることにより、スラリー状態が解消されて液状態になる。このことにより、蓄熱回路（61）は蓄熱媒体が循環する状態に復帰する。
【００８３】
一方、点Ｆの高圧二相冷媒は圧力調整弁（43）で減圧され、点Ｇの状態まで減圧される。点Ｇの低圧二相冷媒は、吸入側配管（19）を流れる途中でガス冷媒合流通路（18）から合流してくる点Ｃの高圧ガス冷媒と混合されて、点Ｈの過熱ガス冷媒に変化する。ここで、本実施形態では、圧力調整弁（43）の開度を固定した状態で、低圧ガス調整弁（24c）を、点Ｈのガス冷媒の過熱度が所定過熱度になるように制御している。したがって、圧縮機（21）にはガス冷媒が吸入され、液バックは生じない。
【００８４】
−実施形態の効果−
以上のように、本実施形態によれば、蓄熱用熱交換器（37）で蓄熱媒体を加熱して凝縮して吸入側配管（19）を流れる液冷媒に、冷媒熱交換器（24）の低圧側通路（24b）で過熱されてガス冷媒合流通路（18）を流れる高エンタルピのガス冷媒を合流させ、圧縮機（21）に吸入されるガス冷媒の過熱度を制御しているので、圧縮機（21）に対して液バックが生じることはない。
【００８５】
したがって、圧縮機（21）において液圧縮が生じないから、圧縮機が損傷するのを効果的に防止できる。
【００８６】
また、本実施形態によれば、圧力調整弁（43）が開度調整範囲の広い膨張弁であって、制御の応答性が低下しやすいのに対して、この圧力調整弁（43）の開度を固定し、低圧ガス調整弁（24c）により圧縮機（21）の吸入冷媒の過熱度を制御している。このようにすることにより、開度調整範囲が広い（制御の応答性に劣る）圧力調整弁（43）を固定したままで容易に過熱度制御を行うことができる。
【００８７】
また、本実施形態によれば、加熱運転（融解運転）を行うときには、室外側過冷却熱交換器（冷媒熱交換器）（24）を利用し、低圧側通路（24b）から流出したガス冷媒で、圧縮機に吸入される冷媒を過熱ガスとなるようにしている。したがって、加熱運転時の吸入冷媒を過熱ガスにするための専用の機構が不要であるから、装置の構造が複雑になるのも防止できる。
【００８８】
《その他の実施形態》
上記実施形態については、以下のような構成としてもよい。
【００８９】
例えば、上記実施形態では、加熱運転時に室外ファンを停止するようにしているが、室外ファンを通常運転時よりも遅い回転速度で回し、室外熱交換器において冷媒が幾分放熱するようにしてもよい。
【００９０】
また、上記実施形態では、加熱運転時に圧力調整弁（43）の開度を固定し、低圧ガス調整弁（24c）の開度を圧縮機の吸入冷媒が過熱状態となるように調節するようにしているが、圧縮機（21）への液バックが生じない限り、弁（43，24c）の両方の開度を制御するなど、その制御方法は変更してもよい。
【００９１】
蓄熱媒体は、冷却により包接水和物を生成する媒体であれば良く、臭化テトラｎブチルアンモニウムを含有する臭化テトラｎブチルアンモニウム水溶液以外の蓄熱材であってもよい。
【００９２】
蓄熱媒体の濃度は、４０％に限定されずともよい。
【００９３】
なお、以上の実施形態は、本質的に好ましい例示であって、本発明、その適用物、あるいはその用途の範囲を制限することを意図するものではない。
【産業上の利用可能性】
【００９４】
以上説明したように、本発明は、室内の冷房を行いながらも蓄熱タンクに冷熱を蓄冷する蓄熱式空気調和機について有用である。
【符号の説明】
【００９５】
10  蓄熱式空気調和機
11  冷媒回路
18  ガス冷媒合流通路
21  圧縮機
22  室外熱交換器
22a 室外ファン
23  室外膨張弁（膨張機構）
24  過冷却熱交換器（冷媒熱交換器）
24a 高圧側通路
24b 低圧側通路
24c 膨張弁（低圧ガス調整弁）
26  室内膨張弁（膨張機構）
27  室内熱交換器
37  蓄熱用熱交換器
43  蒸発圧力調整弁（圧力調整弁）
61  蓄熱回路
62  蓄熱タンク
63  循環ポンプ（ポンプ）
100 コントローラ（運転制御部）
【図１】
2016125719.tif 000003
【図２】
2016125719.tif 000004
【図３】
2016125719.tif 000005
【図４】
2016125719.tif 000006
【図５】
2016125719.tif 000007
【図６】
2016125719.tif 000008
【図７】
2016125719.tif 000009
【図８】
2016125719.tif 000010